(57)【要約】【課題】収納位置では、撮影レンズ光学系の先端を外部に露出させないようにできるが、モニタ装置は外部に露出した状態となり、モニタ装置に汚れが付着したり傷が付いたりしやすくなるという問題があった。【解決手段】撮像ユニット１５が設けられた撮像部１４ｂと、表示画面１８が設けられた表示部１４ａとを、撮像表示部１４として一体とし、撮像表示部１４を本体部１６に対して回動自在に設けたので、撮像表示部１４が収納された状態では先端１５ａと表示画面１８とを外部に露出しない状態にすることができ、先端１５ａの表面や表示画面１８の表面を、汚れや傷から保護することができる。【選択図】  図１
2004207859.tif 000002
【特許請求の範囲】
【請求項１】
被写体を撮像可能なレンズを含む撮像手段と映像表示を行う表示手段とが一体となった撮像表示部と、前記撮像表示部を回動自在に保持し記録媒体が収納可能な本体部とを有し、第１の位置で前記撮像表示部が前記本体部に収納され、第２の位置で前記撮像表示部が撮影可能状態となることを特徴とする撮像装置。
【請求項２】
撮像表示部は、第１の位置から第２の位置へ移行した時に、装置本体の電源が投入されることを特徴とする請求項１記載の撮像装置。
【請求項３】
表示手段は、撮像表示手段が第２の位置にある時、レンズの光軸と直交する軸を中心に回動可能なことを特徴とする請求項１記載の撮像装置。
【請求項４】
本体部に本装置を立てて設置可能な足部を備え、前記足部は前記本体部に対して収納位置と、回動した使用位置との間で回動可能に設けたことを特徴とする請求項１記載の撮像装置。
【発明の詳細な説明】
【０００１】
【発明の属する技術分野】
本発明は、撮像装置に関するものである。
【０００２】
【従来の技術】
近年、ＣＣＤ等の撮像素子を有し、撮像した画像をメモリカードなどの記録媒体に記録するデジタルスチルカメラには、記録した画像をその場ですぐ確認するモニタ動作や、撮影しようとする被写体を確認するビューファー動作を行うためのモニタ装置を有しているものがある。この種のモニタ装置は一般に液晶表示器（ＬＣＤ）等で構成され、カメラの外面に配置される。前述のような構成を備えたものとして、例えば特開平１１−６９２１３号公報のようなものがある。
【０００３】
以下、従来の撮像装置について図面を用いて説明する。
【０００４】
図１８は従来のデジタルスチルカメラを背面側から見た図、図１９は前面側から見た斜視図である。このカメラはカメラ本体３とヘッド部２とから成り、本体３はモニタ装置１が設けられるモニタ保持部３ｃと、モニタ保持部３ｃの上面に突出する左右一対の腕部（ヘッド保持部）３ａ，３ｂとから構成され、全体として略コ字状を呈する。一方の腕部３ａの上端斜面にはレリーズボタン５が配置される。モニタ装置１は記録した画像を確認したり、撮影しようとする被写体を確認するためのもので、その画面が本体３の背面に設けられる。
【０００５】
ヘッド部２は本体３と同一の厚みを持つ略直方体形状を呈し、撮影レンズ光学系４，ファインダ光学系６，外部測距装置，電子閃光装置などを内蔵する。ヘッド部２の先端面２ａ（撮影時に被写体側を向く面）には、レンズ光学系４，ファインダ光学系６および外部測距装置の光学系９の各先端が露出するとともに、電子閃光装置の発光窓８が設けられる。レンズ光学系４とファインダ光学系６の各光軸は平行とされる。ヘッド部２の後端面２ｂ側の両側面には軸支部が設けられ、この軸支部が回動軸７ａ，７ｂを介して本体腕部３ａ，３ｂの先端内面にそれぞれ回動可能に軸支される。これによりヘッド部２は、撮影レンズ光学系４の光軸（撮影光軸）と直行する方向の軸を中心として本体３に回動可能に支持される。
【０００６】
図１８はヘッド部２が収納位置（非撮影位置）にある状態を示し、このときヘッド部２は全体が一対の腕部３ａ，３ｂの間の空間ＳＰに収容される。ヘッド部２と本体３とは同じ厚さを有しているから、収納位置ではヘッド部２の外面２Ａ，２Ｂ（先端面２ａと直行する２面）と本体３の外面３Ａ，３Ｂ（モニタ装置１が配置される面およびその反対側の面）とがそれぞれ略同一面上に位置し、カメラ全体に凹凸がなく、鞄等への収納に非常に便利である。また収納位置では、ヘッド部２の先端面２ａが本体３の上面と僅かな隙間を隔てて対向する状態となるので、レンズが保護され、レンズの汚れや傷付きが防止できる。
【０００７】
カメラを使用する際には、例えば図１９に示すようにヘッド部２を回動させ、その先端面２ａを被写体に向ける。ヘッド部２を適宜回動させることにより、撮影光軸とモニタ装置１の光軸（モニタ光軸）との相対角度が状況に応じて自由に変更可能である。例えば光の反射等でモニタ１が見づらい場合には、見やすい位置までヘッド部２と本体３とを相対回動させることができる。
【０００８】
また本構成では、ヘッド部２の撮影光軸方向の長さが長いので、収納位置にあるヘッド部２を使用位置まで回動させると、一対の腕部３ａ，３ｂの間の空間ＳＰが大きく開放される。したがって、撮影時には空間ＳＰに指を回り込ませて腕部３ａ，３ｂを両手で握るようにしてカメラを保持することができ、その状態で腕部３ａ上部のレリーズボタン５をごく自然に操作できる。したがってホールディング性が極めてよく手振れ軽減等に寄与するとともに、操作性もよい。
【０００９】
図２０はヘッド部２をさらに回動させて先端面２ａがモニタ装置１と同方向を向くようにした状態を示している。このようにすれば対面撮影が可能となる。
【００１０】
【特許文献１】
特開平１１−６９２１３号公報
【００１１】
【発明が解決しようとする課題】
しかしながら上記の従来の構成では、ヘッド部２を回動させ撮影レンズ光学系４の先端４ａが本体３と対向する収納位置では、撮影レンズ光学系４の先端４ａを外部に露出させないようにできるが、モニタ装置１は外部に露出した状態となり、モニタ装置１に汚れが付着したり傷が付いたりしやすくなるという問題があった。また本装置を過って落下させてしまった場合に、モニタ装置の画面を傷つけてしまったり破損してしまう可能性があるという問題点を有していた。
【００１２】
本発明は上記従来の問題点を解決するもので、収納状態において、カメラのレンズを保護するとともに、液晶モニタの画面をも保護することができる撮像装置を提供することを目的とする。
【００１３】
【課題を解決するための手段】
この目的を達成するために本発明の撮像装置は、被写体を撮像可能なレンズを含む撮像手段と映像表示を行う表示手段とが一体となった撮像表示部と、前記撮像表示部を回動自在に保持し記録媒体が収納可能な本体部とを有し、第１の位置で前記撮像表示部が前記本体部に収納され、第２の位置で前記撮像表示部が撮影可能状態となるものである。
【００１４】
これにより、第１の位置である収納状態において、カメラのレンズを保護するとともに、液晶モニタの画面をも保護することができる撮像装置を提供することを目的とする。
【００１５】
【発明の実施の形態】
本発明の請求項１〜４に記載の発明は、被写体を撮像可能なレンズを含む撮像手段と映像表示を行う表示手段とが一体となった撮像表示部と、前記撮像表示部を回動自在に保持し記録媒体が収納可能な本体部とを有し、第１の位置で前記撮像表示部が前記本体部に収納され、第２の位置で前記撮像表示部が撮影可能状態となるものであり、これにより、第１の位置である収納状態において、カメラのレンズを保護するとともに、液晶モニタの画面をも保護することができるものである。
【００１６】
以下、本発明の実施の形態について、図面を用いて説明する。
【００１７】
（実施の形態１）
図１は本発明の撮像装置の実施の形態を示す図で、撮像表示部１４を本体部１６に収納した状態を示している。図２は同斜視図、図３は撮像表示部１４を約４５度回動させた状態を撮像ユニット１５の先端１５ａ側から見た側面図、図４（ａ）は同斜視図、図４（ｂ）は操作部１１側から見た斜視図、図５は撮像表示部１４を水平状態（収納状態から約９０度）まで回動させた状態を撮像ユニット１５の先端１５ａ側から見た側面図、図６（ａ）は同斜視図、図６（ｂ）は操作部１１側から見た斜視図、図７は図５の矢印Ｄ方向から見た側面図、図８は図５〜図７に示す水平状態から表示部１４ａを支軸１９を軸に約４５度回動させた状態を示す斜視図で、同図（ａ）は撮像ユニット１５の先端１５ａ側、同図（ｂ）は操作部１１側から見たものである。図９は図８の状態から表示部１４ａをさらに４５度回動させ表示画面１８が垂直状態となった状態を操作部１１側から見た側面図、図１０（ａ）は図９の状態を撮像ユニット１５の先端１５ａ側から見た斜視図、同図（ｂ）は操作部１１側から見た斜視図、図１１は図９及び図１０の状態から表示部１４ａを約９０度回動させた状態を示す斜視図、図１２は図１１の状態から表示部１４ａをさらに約９０度回動させた状態を示す斜視図、図１３は図１２の状態から表示部１４ａをさらに約９０度回動させた状態を示す斜視図で、これがいわゆる自分撮りの状態である。図１４は本装置の使用例を示す斜視図、図１５は本装置を下方から見た斜視図、図１６は本装置の下端に設けられた足部の要部斜視図、図１７は本装置を足部を用いて立てた状態を示す斜視図である。
【００１８】
図において、１０は内部に記録媒体（固定あるいは着脱自在）を有し撮影した画像を記録媒体に対して記録再生可能な装置本体で、デジタルスチルカメラのように静止画撮影モードの他、ビデオカメラのような動画撮影モードを備えてもよい。１１は本装置の各種操作を行う操作手段である操作部で、１１ａは押すことで静止画撮影を行うことができ、動画撮影モードでは１回押すごとに録画開始／録画停止を繰り返すシャッタボタンで、１１ｂはホワイトバランス等の操作ボタンである。なお、本実施の形態では１１ａをシャッタボタンとしたが、カーソルキーなどの他の操作部としてもよい。１２は夜間撮影など光量が不足した撮影環境で発光させるストロボ手段であるストロボ、１３は周囲の音声を収音するマイクロホン、１５は被写体の光学信号が入射する撮像ユニットで、レンズや絞りや固体撮像素子などからなる。１５ａは撮像ユニット１５の光軸方向の先端で、例えば対物レンズからなる。先端１５ａの光軸方向は、ストロボ１２の発光方向と略同一である。１８は撮像中の映像や記録媒体から再生された映像などを表示する表示画面で、例えば液晶モニタ（ＬＣＤ）からなる。
【００１９】
１４は表示手段である表示部１４ａと撮像手段である撮像部１４ｂとが一体となった撮像表示部で、撮像部１４ｂにはマイク１３と撮像ユニット１５とを備え、表示部１４ａには表示画面１８を備えている。また表示部１４ａは撮像部１４ｂに対して支軸１９を軸に回動自在に保持されている。なお、支軸１９は撮像ユニット１５の光軸と直交する方向に配されている。１７は撮像表示部１４における撮像ユニット１５の近傍を挿通する支軸で、撮像ユニット１５の光軸と略平行になるように配されている。１６は支軸１７の両端を保持し撮像表示部１４を回動自在に保持した本体部で、本体部１６の一方の側面には操作部１１を有し、他方の側面にはストロボ１２を設けている。つまり、操作部１１が設けられた側面は撮影時に撮影者側を向き、ストロボ１２が設けられた側面は被写体側を向くように、互いに対向した側面に配されている。１６ａは本体部１６に設けられ撮像部１４ｂが収納される開口部である。
【００２０】
なお、撮像表示部１４は、図１及び図２に示す状態を第１の位置とし、図５〜図１３に示す状態を第２の位置とする。
【００２１】
以上のように構成された本実施の形態の撮像装置について、以下その動作について説明する。
【００２２】
まず、本装置を使用していない状態、つまり撮像表示部１４を本体部１６に収納した状態について説明する。
【００２３】
図１及び図２に示すように、本装置を使用していない状態では、撮像表示部１４は本体部１６に対して収納された状態となっている。撮像部１４ｂは本体部１６に設けられた開口部１６ａに収納されており、図１（ａ）及び（ｃ）に示すように、側面から見ると撮像部１４ｂは本体部１６の最外郭から大きく突出するような部位はなく、ほぼ面一となっている。この状態では、撮像部１４ｂに設けられた撮像ユニット１５の先端１５ａは外部に露出しないような位置にあり、かつ先端１５ａが本体部１６の内面と僅かな隙間を隔てて対向する状態となるので、先端１５ａを傷などから保護することができる。
【００２４】
一方、表示部１４ａは、本体部１６のＬ字凹部１６ｂに収納されており、表示画面１８は外部に露出しない状態になるので、表示画面１８を傷などから保護することができる。また表示部１４ａは、撮像部１４ｂと同様に図１に示すように、本体部１６の最外郭よりも大きく突出する部位はなく、ほぼ面一となっている。このように撮像表示部１４が本体部１６に対して収納された状態では、各側面がほぼ面一となり、鞄やシャツのポケットなどに収納する際に各部位が引っかからず、携帯性に優れるものである。
【００２５】
次に、収納状態から撮影可能状態へ移行するまでの動作について説明する。
【００２６】
図１及び図２に示す収納状態から、図１（ｃ）の矢印Ａのように表示部１４ａを持ち上げると、撮像表示部１４は支軸１７を軸に回動を始める。図３及び図４は、撮像表示部１４を収納状態から矢印Ａ方向へ約４５度回動させた状態である。この時に装置内部に設けられたスイッチ（図示せず）がＯＮとなり、装置の電源が投入される。このような構成にすることで、専用の電源スイッチが不要となる。装置の電源が投入されると、撮像部１４ｂに設けられた撮像ユニット１５が、先端１５ａを介して入射される光信号を撮像し、表示部１４ａの表示画面１８に撮像した映像を表示するが、シャッタボタン１１ａを操作しない限り、静止画や動画の記録は行われない。
【００２７】
なお、本実施の形態では、撮像表示部１４が図３及び図４の状態になった時に、装置本体１０の電源が投入される構成としたが、後述する図５〜図７の略水平状態、あるいは図９〜図１１の撮影可能状態において、電源投入される構成としてもよい。
【００２８】
また、使い勝手向上のために撮像表示部１４の回動に伴い装置本体１０の電源が自動的に投入されるようにしたが、別途電源スイッチを設けて使用者が任意に電源ＯＮ／ＯＦＦを行う構成としてもよい。
【００２９】
図３及び図４の状態から撮像表示部１４をさらに矢印Ｂ方向へ回動させると、図５〜図７に示すように撮像表示部１４が略水平状態になるまで回動させることができる。この時、撮像部１４ｂの一部が、本体部１６の開口部１６ａの内面に当接し、撮像表示部１４は矢印Ｃ方向への回動ができないようになっている。
【００３０】
次に、図７に示すように表示部１４ａを支軸１９を軸に矢印Ｅ方向に回動させ、約４５度回動させた状態が図８である。さらに表示部１４ａを約４５度回動させると、図９及び図１０に示す状態となる。
【００３１】
図９及び図１０の状態では、表示部１４ａは略垂直状態となり、表示部１４ａに設けられた表示画面１８は、本体部１６における操作部１１が設けられた側面と同方向を向く位置となる。
【００３２】
つまり、使用者（撮影者）は被写体を撮影する際、操作部１１側を自分の方に向け、撮像ユニット１５の先端１５ａを被写体側に向けるため、図示の状態では表示画面１８は使用者側を向くことになる。使用者は被写体の撮影を行う時、表示画面１８に表示された映像を見ながら、任意のタイミングでシャッタボタン１１ａを押すことで、静止画を記録媒体（図示せず）に記録することができる。また、本装置が動画撮影モードになっている場合は、シャッタボタン１１ａを１回操作すると動画撮影を開始し、もう１回押すと動画撮影が停止する。
【００３３】
なお、１１ｃは操作部１１の一部で本装置の各種モードを切り替えるモードスイッチであり、撮像部１４ｂの側面に設けられており、撮像表示部１４の収納状態では目視できない位置に移動する。
【００３４】
また、本体部１６の側面にはストロボ１２が設けられており、夜間撮影時や暗いところなど光量が足りない撮影環境において発光させることで、ストロボ撮影が可能となる。
【００３５】
また、撮像部１４ｂにはマイクロホン１３が設けられており、動画撮影モードの時にシャッタボタン１１ａを操作して動画撮影を開始すると、マイクロホン１３で音声を収音し、記録媒体に音声信号を記録する。さらに本装置には、映像を記録せずに周囲の音声のみを記録するボイスレコーダモードを有し、ボイスレコーダモードを動作させる時はマイクロホン１３で周囲の音声を収音し、記録媒体に記録することができる。
【００３６】
なお、本説明では図９及び図１０に示すように表示部１４ａが略垂直状態となっている状態で静止画撮影などを行う説明をしたが、表示部１４ａは支軸１９を軸に回動可能な構成となっているので、支軸１９を軸にして表示部１４ａを任意の角度傾け、表示画面１８を使用者が見やすい角度にすることが可能である。
【００３７】
次に、撮像表示部１４を本体部１６へ収納する動作を説明する。
【００３８】
図９及び図１０に示す状態から、表示部１４ａを支軸１９を軸に回動させて、図５〜図７に示すように表示画面１８が下方向を向くように、表示部１４ａを略水平状態にする。次に、撮像表示部１４を支軸１７を軸に、図５の矢印Ｆ方向へ回動させることにより、図３及び図４の状態を介して、図１及び図２に示すように、表示部１４ａは本体部１６の凹部１６ｂに収納されるとともに、撮像部１４ｂは本体部１６の開口部１６ａに収納される収納状態となる。
【００３９】
前述したように図１及び図２に示す収納状態では、表示部１４ａに設けられた表示画面１８と、撮像部１４ｂに設けられた撮像ユニット１５の先端１５ａとが、外部に露出しない状態にすることができる。
【００４０】
次に、本装置を用いた対面撮影（自分撮り）について説明する。
【００４１】
図１１は撮影可能状態における本装置の側面図、図１２は回動途中の斜視図、図１３は本実施の形態における対面撮影状態を示す斜視図である。
【００４２】
まず、前述した手順により、図１及び図２の収納状態から図９〜図１１に示す撮影可能状態へ移行する。図１１に示す撮影可能状態から、表示部１４ａを支軸１９を軸に矢印Ｇ方向へ約９０度回動させ、図１２に示す状態にする。図１２においては表示画面１８は上方向を向いている。
【００４３】
次に、図１２に示す状態から表示部１４ａを、矢印Ｇと同方向へさらに約９０度回動させ、図１３の対面撮影状態にする。図１３に示すように対面撮影状態では、図１３（ｂ）に示すように表示画面１８は撮像ユニット１５の先端１５ａの光軸と同方向を向いた状態となる。この状態で、撮影者は先端１５ａ及び表示画面１８を撮影者自身の方へ向けることで、表示画面１８に撮影者自身の映像が表示されるので、撮影者は表示される映像を見ながら画角設定などを行い、図１３（ａ）に示すシャッタボタン１１ａを押すことで、撮影者自身を撮影することができる。なお、図１３に示す対面撮影状態にした時、表示画面１８に表示される映像は、図９及び図１０の状態で表示される映像に対して、内部の信号処理で上下反転した映像が表示される。
【００４４】
次に、本装置を用いた使用例について説明する。
【００４５】
図１４は表示画面１８を目視可能な状態で、撮像表示部１４を本体部１６に収納した状態を示す斜視図である。まず、図１４に示す状態へ移行させるには、前述の図１２に示す状態にした後、撮像表示部１４を支軸１７を軸に矢印Ｈ方向へ回動させることで実現することができる。
【００４６】
図１４に示す状態では、表示画面１８が目視可能な状態となっており、撮像ユニット１５の先端１５ａは本体部１６により外部に露出しない状態となっている。この状態では、当然ながら撮像ユニット１５を用いた被写体撮影を行うことはできない。この状態では、本装置を記録媒体に記録した静止画や動画を再生する再生モードにし再生映像を表示画面１８に表示させた場合や、前述したボイスレコーダー機能を動作させた際のカウンタ表示などを表示画面１８に表示させた場合に、図１３の状態に比べて、装置本体１０を手で保持する際の自由度が高くなる。つまり、表示画面１８を目視可能な状態にしたままで本体部１６に収納することで、使用者は装置本体１０を自由な方向や角度で持つことができる。
【００４７】
次に、本装置を立たせて使用する場合について説明する。
【００４８】
図１５〜図１７は本体部１６の下端の要部斜視図である。図１５は足部を収納した状態、図１６を足部を引き出した状態、図１７は足部を引き出して載置部に載置した状態である。図において２０は本体部１６の下端面に収納可能なように設けられた足部、２１は本体部１６の下端面に設けられ足部２０が収納可能な凹部、２２は足部２０を回動自在に軸支する支軸、２３は足部２０を引き出した状態で装置本体１０を立たせて設置される載置部で、例えば机上面などある。
【００４９】
まず、図１５に示すように、足部２０が本体部１６の凹部２１（図１６参照）に収納された状態から、足部２０を矢印Ｉ方向へ引き出すと、足部２０は支軸２２を軸として使用位置に回動し、図１６の状態となる。この状態で足部２０は本体部１６と面一となっており、図１７に示すように装置本体１０を、足部２０が載置部２３に当接するように載置することで、装置本体１０は足部２０を支えにして立てて設置することができる。次に、足部２０を収納する時は、足部２０を図１６の矢印Ｋ方向に回動させることにより、図１５に示すように凹部２１に収納させる。この時、足部２０は本体部１６に対して面一になるように収納される。
【００５０】
なお、本実施の形態において足部２０は図１６に示すように、凹部２１に対して約４５度程度しか引き出していないが、矢印Ｊ方向に約９０度までさらに引き出すことができる構成となっている。
【００５１】
以上のように本実施の形態によれば、撮像ユニット１５が設けられた撮像部１４ｂと、表示画面１８が設けられた表示部１４ａとを、撮像表示部１４として一体とし、撮像表示部１４を本体部１６に対して回動自在に設けたので、図１及び図２に示す収納状態では撮像ユニット１５の先端１５ａと表示画面１８とを外部に露出しない状態にすることができ、先端１５ａの表面や表示画面１８の表面を、汚れや傷から保護することができる。
【００５２】
また、撮影可能状態へ移行するには、表示部１４ａと撮像部１４ｂとを一体に回動させることができるため、撮像ユニット１５は撮影可能状態に、表示画面１８は目視可能状態に、簡単かつ迅速に移動することができ、したがって本装置を簡単かつ迅速に撮影可能状態へ移行させることができる。
【００５３】
また、支軸１７の軸方向にシャッタボタン１１ａが配置されていることにより、シャッタボタン１１ａを操作することによる装置本体１０が揺れることを軽減することができる。
【００５４】
また、表示部１４ａを撮像部１４ｂに対して回動可能とすることにより、撮影者が表示部１４ａを目視して被写体の撮影が可能になるとともに、撮影者自身の対面撮影も可能となる。
【００５５】
なお、特に図示していないが、図６（ｂ）において撮像部１４ｂの面３０に、操作ボタンを設ける構成も考えられ、面３０に操作ボタンを設けることで、撮像表示部１４を本体部１６に収納した時に、外部に露出しない位置に収納させることができる。そうすることで、図１及び図２に示す収納状態において、面３０に設けた操作ボタンを隠すことができ、操作ボタンの不用意な誤操作を防止することができる。
【００５６】
また、図１及び図２に示す、撮像表示部１４を本体部１６に収納した状態において、撮像表示部１４が容易に回動しないようにロック手段を設けてもよい。そうすることで、例えば鞄の中などに本装置を収納した際に、不用意に撮像表示部１４が回動して装置本体１０の電源が投入されてしまう問題を解消することができる。
【００５７】
また、着脱自在な記録媒体の装着位置については特に言及していないが、本体部１６における操作部１１が設けられた側面や、足部２０が設けられた底面などに、記録媒体を挿入可能な挿入口を設ける構成としてもよい。
【００５８】
また、本体部１６の上端部（図１（ｂ）の２４で囲んだ部分）を切り欠き、これにより、装置本体１０の小型化を図ることができる。
【００５９】
【発明の効果】
以上のように本発明によれば、収納状態において、カメラのレンズを保護するとともに、液晶モニタの画面をも保護することができるという優れた効果を奏するものである。
【００６０】
また、撮像表示部を本体部から回動させるという１回の動作のみで、カメラとモニタとを外部に露出させ撮影可能状態に移行することができるため、使い勝手を向上させることができるという優れた効果を奏するものである。
【図面の簡単な説明】
【図１】本発明の実施の形態の撮像装置の全体構成を示す外観図
【図２】同斜視図
【図３】同実施の形態において撮像表示部を約４５度回動させた状態を示す側面図
【図４】同斜視図
【図５】同実施の形態において撮像表示部を水平状態まで回動させた状態を示す側面図
【図６】同斜視図
【図７】同側面図
【図８】同実施の形態において撮像表示部の水平状態から表示部を回動させた状態を示す斜視図
【図９】同実施の形態において撮像表示部の水平状態から表示部を垂直状態まで回動させた状態を示す側面図
【図１０】同斜視図
【図１１】同側面図
【図１２】同実施の形態において表示部の垂直状態からさらに回動させた状態を示す斜視図
【図１３】同実施の形態において対面撮影状態を示す斜視図
【図１４】同実施の形態における再生モード時の使用例を示す斜視図
【図１５】同実施の形態における撮像装置を示す斜視図
【図１６】同実施の形態における撮像装置の下端部分の要部斜視図
【図１７】同実施の形態における撮像装置を示す斜視図
【図１８】従来の撮像装置の構成を示す背面図
【図１９】従来の撮像装置の構成を示す斜視図
【図２０】従来の撮像装置の構成を示す斜視図
【符号の説明】
１１  操作部
１２  ストロボ
１４  撮像表示部
１４ａ  表示部
１４ｂ  撮像部
１５  撮像ユニット
１５ａ  先端
１６  本体部
１７，１９  支軸
１８  表示画面
２０  足部
【図１】
2004207859.tif 000003
【図２】
2004207859.tif 000004
【図３】
2004207859.tif 000005
【図４】
2004207859.tif 000006
【図５】
2004207859.tif 000007
【図６】
2004207859.tif 000008
【図７】
2004207859.tif 000009
【図８】
2004207859.tif 000010
【図９】
2004207859.tif 000011
【図１０】
2004207859.tif 000012
【図１１】
2004207859.tif 000013
【図１２】
2004207859.tif 000014
【図１３】
2004207859.tif 000015
【図１４】
2004207859.tif 000016
【図１５】
2004207859.tif 000017
【図１６】
2004207859.tif 000018
【図１７】
2004207859.tif 000019
【図１８】
2004207859.tif 000020
【図１９】
2004207859.tif 000021
【図２０】
2004207859.tif 000022